(57)【要約】【課題】ロール紙が吸湿して膨張した場合でも、ロール紙の始端部が挟み込み部材と巻芯の外周面との貼付部分に入り込むのを防止することができるロール体を提供する。【解決手段】ロール体は、巻芯１１と、帯状をなし、巻芯１１の外周に巻き回されたロール紙１２と、巻芯１１の外周側に設けられ、ロール紙１２の巻き始めである始端部１２ａの外側面に重ねられ、当該始端部１２ａを巻芯１１の外周面１１ａとの間で挟み込む挟み込みシート２０とを備える。挟み込みシート２０は、始端部１２ａを内側に入り込ませた状態でロール紙１２の巻回方向終端側に向けて折り返された折り返し部２３を有し、その折り返し部２３の折り返しによって始端部１２ａと巻芯１１の外周面１１ａとの間に介在された部分が設けられている。【選択図】      図５
2014080260.tif 000002
【特許請求の範囲】
【請求項１】
巻芯と、
帯状をなし、前記巻芯の外周に巻き回されたロール紙と、
前記巻芯の外周側に設けられ、前記ロール紙の巻き始めである始端部の外側面に重ねられ、当該始端部を前記巻芯の外周面との間で挟み込む挟み込み部材と、
を備え、
前記挟み込み部材は、前記始端部を内側に入り込ませた状態で当該ロール紙の巻回方向終端側に向けて折り返された折り返し部を有しており、その折り返し部の折り返しによって前記始端部と前記巻芯の外周面との間に介在された部分が設けられていることを特徴とするロール体。
【請求項２】
前記挟み込み部材は、
前記始端部の外側面に重ねられ、当該始端部を前記巻芯の外周面との間で挟み込む挟み込みシートと、
前記挟み込みシートを前記巻芯の外周面に取り付けるとともに前記折り返し部が形成された接着テープと、を備え、
前記接着テープは、前記挟み込みシートと前記巻芯の外周面との間において、前記折り返し部により、片面のみに形成された接着面を外側に向けた状態で折り返されており、その折り返しによって前記始端部を挟んで両側に配置された各部分のうち、外側部分については前記接着面が前記挟み込みシートの内側シート面に貼り付けられ、内側部分については前記接着面が前記巻芯の外周面に貼り付けられていることを特徴とする請求項１に記載のロール体。
【請求項３】
前記挟み込みシートには、前記ロール紙の巻回方向において前記接着テープよりも前記折り返し部の折り返し側とは反対側に延出し前記巻芯の外周面に当接された延出部が設けられていることを特徴とする請求項２に記載のロール体。
【請求項４】
前記接着テープとしての第１接着テープは、前記挟み込みシートにおいて前記ロール紙の巻回方向における終端側とは逆側の端部に貼り付けられており、
前記挟み込みシートの当該端部を挟んで前記第１接着テープとは反対側には、さらに第２接着テープが設けられており、
前記第２接着テープは、片面のみに形成された接着面が前記挟み込みシートの当該端部の外側シート面に貼り付けられているとともに、その一部に前記延出部を有しており、該延出部の前記接着面が前記巻芯の外周面に貼り付けられていることを特徴とする請求項３に記載のロール体。
【請求項５】
前記第１接着テープは、前記巻芯の幅方向の長さが前記第２接着テープと同じか又はそれよりも短くされており、前記巻芯の幅方向において前記第２接着テープの端部からはみ出ないように配置されていることを特徴とする請求項４に記載のロール体。
【請求項６】
前記挟み込み部材は、前記折り返し部が形成された挟み込みシートよりなることを特徴とする請求項１に記載のロール体。
【請求項７】
前記ロール紙は、紙からなる基材の片面に磁気記録層が形成されてなるものであることを特徴とする請求項１乃至６のいずれか一項に記載のロール体。
【発明の詳細な説明】
【技術分野】
【０００１】
本発明は、ロール紙を巻芯に巻き回して得られるロール体に関する。
【背景技術】
【０００２】
従来より、巻芯にロール紙を巻き回してロール体としたものが、発券機やプリンタ、レジ等で広く用いられている。例えば、有料駐車場に設置されている発券機では、ロール紙として、その裏面に磁気記録層が設けられたものが用いられている。この種のロール紙は、発券機で発券される際に駐車券の長さに切断され、その切断された券の磁気記録層に入庫情報等が記録されて駐車券として発券される。
【０００３】
ロール紙を巻芯に巻き付ける方法としては、ロール紙の巻き始め端部である始端部を巻芯の外周面に接着してから巻き付ける方法が知られている。この場合、ロール紙を巻芯に巻き始める際に、始端部が巻芯の外周面を滑ってしまうことがないため、ロール紙をスムーズに巻き始めることができる。
【０００４】
しかしながら、上記の巻き付け方法では、始端部が巻芯の外周面に接着されているため、ロール紙がなくなる間際ではロール紙を巻芯から上手く引き出すことができず、ロール紙に破断が生じる等の不具合が生じるおそれがある。また、ロール紙において巻芯に接着されている部分は使用することができないため、その分無駄が発生するという問題もある。
【０００５】
かかる問題を解決するものとして、特許文献１には、巻芯の外周面に挟み込み用シートの一部を接着剤により貼り付けて、その挟み込みシートにおいて巻芯に接着されていない非接着部分と巻芯の外周面との間でロール紙の始端部を挟み込むようにした構成が開示されている。これによれば、ロール紙の始端部を挟み込みシートと巻芯の外周面との間に挟み込んだ状態でロール紙を巻き始めることができるため、ロール紙をスムーズに巻き始めることができる。また、ロール紙が巻芯に接着されずに巻芯と挟み込みシートとの間に挟み込まれているだけであるため、ロール紙を最後まで引き出した際、ロール紙を巻芯からスムーズに離脱させることができる。そのため、ロール紙に破断が生じる等の不都合が生じにくくなるとともに、ロール紙を最後まで使用することができロール紙の有効利用が図られる。
【先行技術文献】
【特許文献】
【０００６】
【特許文献１】特開平６−１７９５５１号公報
【発明の概要】
【発明が解決しようとする課題】
【０００７】
ところで、一般にロール紙等の紙類は湿気を吸収することで膨張する性質を有している。そのため、ロール体が湿度の高い環境下で使用又は保管される場合等には、ロール紙が周囲の湿気を吸収して膨張してしまうことが想定される。特に、駐車場に設置される発券機等、屋外に設置される機器でロール体が用いられる場合には、屋外の湿度が著しく高まる雨天時においてロール紙の吸湿に伴う膨張が顕著に生じることが想定される。
【０００８】
ここで、上記特許文献１の構成において、ロール紙に吸湿に伴う膨張が生じると、その膨張に伴ってロール紙の始端部が挟み込みシートと巻芯の外周面との貼付部分（接着部分）に入り込んでしまう場合が想定される。その場合、ロール紙がなくなる間際でロール紙を引き出そうとしても、始端部が貼付部分から抜けずにロール紙を最後まで引き出せなくなるおそれがある。また、ロール紙が磁気記録層を有するものである場合には、上記貼付部分の接着剤が磁気記録層に付着して記録の読み取りミス等の不具合が生じるおそれがある。
【０００９】
本発明は、上記事情に鑑みてなされたものであり、ロール紙が吸湿して膨張した場合でも、ロール紙の始端部が挟み込み部材と巻芯の外周面との貼付部分に入り込むのを防止することができるロール体を提供することを目的とする。
【課題を解決するための手段】
【００１０】
上記目的を達成すべく、第１の発明のロール体は、巻芯と、帯状をなし、前記巻芯の外周に巻き回されたロール紙と、前記巻芯の外周側に設けられ、前記ロール紙の巻き始めである始端部の外側面に重ねられ、当該始端部を前記巻芯の外周面との間で挟み込む挟み込み部材と、を備え、前記挟み込み部材は、前記始端部を内側に入り込ませた状態で当該ロール紙の巻回方向終端側に向けて折り返された折り返し部を有しており、その折り返し部の折り返しによって前記始端部と前記巻芯の外周面との間に介在された部分が設けられていることを特徴とする。
【００１１】
本発明によれば、ロール紙の巻き始めである始端部を挟み込み部材と巻芯の外周面との間で挟み込む挟み込み部材に、ロール紙の巻回方向終端側に向けて折り返された折り返し部が設けられ、その折り返し部の折り返し内側に始端部が入り込んでいる。そして、その折り返し部の折り返しによって挟み込み部材の一部が始端部と巻芯の外周面との間に介在されて設けられている。この場合、ロール紙が周囲の湿気を吸って膨張した場合でも、ロール紙の始端部が挟み込み部材と巻芯の外周面との貼付部分に入り込んでしまうのを防止することができる。そのため、かかる入り込みに伴いロール紙を最後まで引き出せなくなるといった不都合が生じるのを回避することができる。
【００１２】
第２の発明のロール体は、第１の発明において、前記挟み込み部材は、前記始端部の外側面に重ねられ、当該始端部を前記巻芯の外周面との間で挟み込む挟み込みシートと、前記挟み込みシートを前記巻芯の外周面に取り付けるとともに前記折り返し部が形成された接着テープと、を備え、前記接着テープは、前記挟み込みシートと前記巻芯の外周面との間において、前記折り返し部により、片面のみに形成された接着面を外側に向けた状態で折り返されており、その折り返しによって前記始端部を挟んで両側に配置された各部分のうち、外側部分については前記接着面が前記挟み込みシートの内側シート面に貼り付けられ、内側部分については前記接着面が前記巻芯の外周面に貼り付けられていることを特徴とする。
【００１３】
挟み込み部材において、ロール紙の始端部を挟み込む部分（以下、挟み込み部という）と、ロール紙の始端部を内側に入り込ませた状態で折り返された部分（つまり、折り返し部）とでは、材料として求められる性質（特性）が相違する。すなわち、挟み込み部では、ロール紙の始端部を巻芯の外周面に対し位置ずれしないように挟み込めるようにすべく、その表面が比較的粗い材料を用いることが望ましい。その一方で折り返し部では、ロール紙の膨張に伴ってロール紙の始端部が折り返し部内側に食い込んだ場合でもその食い込みにより折り返し部が破断しないようある程度の強度を有した材料を用いることが望ましい。
【００１４】
この点本発明によれば、挟み込み部が挟み込みシートにより形成され、同シートを巻芯の外周面に取り付ける接着テープに折り返し部が形成されている。このため、挟み込みシートについてはシート表面の粗さが大きい材料を用いて形成し、接着テープについては比較的強度を有した材料で形成する等、各部（挟み込み部及び折り返し部）ごとに求められる性質に応じた材料で挟み込み部材を形成することができる。
【００１５】
ここで、挟み込みシートについては紙により形成することが望ましい。紙は、その表面粗さが比較的大きい（換言するとその表面がざらざらしている）ため、ロール紙の始端部を位置ずれしないように挟み込むのに適している。また、接着テープについては樹脂フィルムの片面に接着面が形成されたものを用いるのが望ましい。樹脂フィルムは比較的強度を有しているため、ロール紙の始端部の食い込みに伴い折り返し部が破断してしまうのを防止するのに適している。
【００１６】
第３の発明のロール体は、第２の発明において、前記挟み込みシートには、前記ロール紙の巻回方向において前記接着テープよりも前記折り返し部の折り返し側とは反対側に延出し前記巻芯の外周面に当接された延出部が設けられていることを特徴とする。
【００１７】
本発明によれば、挟み込みシートに、ロール紙の巻回方向において接着テープよりも折り返し部の折り返し側とは反対側に延出した延出部が設けられ、その延出部が巻芯の外周面に当接されている。これにより、その延出部によって接着テープの折り返し部外側の接着面を覆うことができるため、当該接着面がその外側に配置されるロール紙に貼り付いてしまうのを防止することができる。
【００１８】
特に、ロール紙が紙よりなる基材の片面に磁気記録層が形成されてなるものであって、そのロール紙が磁気記録層を巻芯の外周側に向けて巻芯の外周に巻き回されている構成では、磁気記録層に接着テープの接着面が貼り付くのを防止することができるため、磁気記録層に接着剤が付着して記録の読み取りミス等の不具合が生じるのを回避することができる。
【００１９】
第４の発明のロール体は、第３の発明において、前記接着テープとしての第１接着テープは、前記挟み込みシートにおいて前記ロール紙の巻回方向における終端側とは逆側の端部に貼り付けられており、前記挟み込みシートの当該端部を挟んで前記第１接着テープとは反対側には、さらに第２接着テープが設けられており、前記第２接着テープは、片面のみに形成された接着面が前記挟み込みシートの当該端部の外側シート面に貼り付けられているとともに、その一部に前記延出部を有しており、該延出部の前記接着面が前記巻芯の外周面に貼り付けられていることを特徴とする。
【００２０】
本発明によれば、挟み込みシートにおいてロール紙の巻回方向における終端側とは逆側の端部に、折り返し部を有する接着テープ（第１接着テープ）が設けられ、さらに当該端部を挟んで第１接着テープとは反対側にも接着テープ（第２接着テープ）が設けられている。すなわち、挟み込みシートの当該端部（以下、これを取付端部という）を挟んだ両側にそれぞれ接着テープが設けられ、それら各接着テープにより挟み込みシートが巻芯の外周面に取り付けられている。これにより、挟み込みシートを巻芯に強固に取り付けることができるため、ロール紙の始端部を挟み込みシートにより挟み込んだ状態でロール紙の巻き付けを行う際、同シートが巻芯から離脱する等の不都合が生じるのを抑制できる。
【００２１】
また、第２接着テープには、第３の発明における延出部が設けられているため、第３の発明の効果を得ながら、挟み込みシートを巻芯に強固に取り付けるという上述の効果を得ることができる。
【００２２】
第５の発明のロール体は、第４の発明において、前記第１接着テープは、前記巻芯の幅方向の長さが前記第２接着テープと同じか又はそれよりも短くされており、前記巻芯の幅方向において前記第２接着テープの端部からはみ出ないように配置されていることを特徴とする。
【００２３】
本発明によれば、挟み込みシートの取付端部を挟んで両側に設けられた第１接着テープ及び第２接着テープのうち、折り返し部を有する第１接着テープが巻芯の幅方向において第２接着テープの端部からはみ出ないように配置されている。この場合、第２接着テープの延出部によって、第１接着テープの折り返し部外側の接着面全域を覆うことができるため、ロール紙が当該接着面に貼り付く不都合をより確実に防止することができる。
【００２４】
第６の発明のロール体は、第１の発明において、前記挟み込み部材は、前記折り返し部が形成された挟み込みシートよりなることを特徴とする。
【００２５】
本発明によれば、挟み込みシート自体に折り返し部が形成されているため、比較的簡素な構成で第１の発明の効果を得ることができる。
【００２６】
第７の発明のロール体は、第１乃至第６の発明において、前記ロール紙は、紙からなる基材の片面に磁気記録層が形成されてなるものであることを特徴とする。
【００２７】
本発明によれば、磁気記録層付きのロール紙を用いる場合においてその始端部が挟み込みシートと巻芯の外周面との貼付部分に入り込むのを防止することができる。これにより、ロール紙の磁気記録層に貼付部分の接着剤が付着して記録の読み取りミス等の不具合が生じるのを回避することができる。
【図面の簡単な説明】
【００２８】
【図１】第１の実施形態におけるロール体の斜視図。
【図２】巻芯に挟み込みシートが取り付けられた状態を示す斜視図。
【図３】巻芯に挟み込みシートが取り付けられた状態を拡大して示す側面図。
【図４】ロール紙の始端部が挟み込みシートにより巻芯の外周面との間で挟み込まれた状態を示す斜視図。
【図５】ロール紙の始端部が挟み込みシートにより巻芯の外周面との間で挟み込まれた状態を拡大して示す側面図。
【図６】第２の実施形態における巻芯に挟み込みシートが取り付けられた状態を示す斜視図。
【図７】ロール紙の始端部が挟み込みシートにより巻芯の外周面との間で挟み込まれた状態を拡大して示す側面図。
【発明を実施するための形態】
【００２９】
〔第１の実施形態〕
以下、本発明にかかるロール体について具体化した一実施の形態を図面に従って説明する。本実施形態では、コインパーキング等の有料駐車場に設置された発券機で用いられる駐車券用のロール紙を巻芯に巻き回して得られるロール体について具体化している。
【００３０】
図１に示すように、ロール体１０は、円筒状の巻芯１１と、巻芯１１の外周に巻き回されたロール紙１２とを備える。巻芯１１は、樹脂製又は紙製である。ロール紙１２は、帯状に形成された基材１３と、基材１３の片面に形成された磁気記録層１４とを備える。基材１３は感熱紙（サーマル紙）により形成されており、巻芯１１と同じ幅を有している。磁気記録層１４は、基材１３の片面全域に磁性塗料が塗布されることで形成されている。ロール紙１２は、発券機において駐車券の長さに順次切断され、その切断された券の基材１３に印字がされるとともに磁気記録層１４に入庫時刻等の入庫情報が記録されて駐車券とされる。
【００３１】
次に、ロール紙１２の巻き始めである始端部１２ａを巻芯１１の外周面１１ａとの間で挟み込む挟み込みシートについて図２及び図３に基づいて説明する。図２は巻芯１１に挟み込みシートが取り付けられた状態を示す斜視図である。図２（ｂ）では、挟み込みシートを巻芯１１の外周面１１ａに対して起立させた状態で示している。また、図３は巻芯１１に挟み込みシートが取り付けられた状態を拡大して示す側面図である。
【００３２】
図２及び図３に示すように、巻芯１１の外周面１１ａには挟み込みシート２０が接着テープ２１，２２により取り付けられている。挟み込みシート２０は、クラフト紙からなる紙片により形成されている。挟み込みシート２０は矩形形状をなしており、その幅（巻芯１１の幅方向の長さ）が巻芯１１（さらにはロール紙１２）の幅と略同じとされている。
【００３３】
なお、挟み込みシート２０は必ずしもクラフト紙により形成する必要はなく、合成紙等クラフト紙以外の紙により形成してもよいし、樹脂シート等紙以外のシート材により形成してもよい。また、挟み込みシート２０は必ずしも巻芯１１（ロール紙１２）と同じ幅で形成する必要はなく、巻芯１１（ロール紙１２）の幅よりも小さい幅で形成してもよい。
【００３４】
挟み込みシート２０は、両シート面の間でシート表面の粗さが異なっている。挟み込みシート２０は、それら両シート面のうち表面粗さが大きい側のシート面を巻芯１１の外周面１１ａ側に向けて当該外周面１１ａに取り付けられている。以下においては、挟み込みシート２０の各シート面のうち、巻芯１１の外周面１１ａ側を向く当該シート面（すなわち表面粗さが大きい側のシート面）を内側シート面２０ａといい、当該シート面２０ａとは反対側のシート面を外側シート面２０ｂという。
【００３５】
各接着テープ２１，２２はいずれも樹脂フィルムを基材としており、その片面のみに接着面２１ａ，２２ａが形成されている。つまり、接着テープ２１，２２において接着面２１ａ，２２ａとは反対側の面は非接着面２１ｂ，２２ｂとなっている。挟み込みシート２０は、巻芯１１の外周方向における一端部において各接着テープ２１，２２により巻芯１１の外周面１１ａに取り付けられている。この場合、挟み込みシート２０において当該一端部が巻芯１１の外周面１１ａへの取付端部２８となっている。
【００３６】
第１接着テープ２１は、巻芯１１の外周面１１ａと挟み込みシート２０の内側シート面２０ａとの間において、その接着面２１ａを外側に向けた状態で巻芯１１の外周方向における挟み込みシート２０の他端部側（取付端部２８とは反対側）に折り返されている（二つ折りされている）。この場合、第１接着テープ２１の非接着面２１ｂは折り返しの内側を向いている。以下、第１接着テープ２１の折り返し部分を折り返し部２３という。
【００３７】
第１接着テープ２１は、折り返し部２３の折り返しによって巻芯１１の径方向に重なり合う２つの部分２５，２６を有している。それら二つの重なり部分２５，２６のうち、巻芯１１の径方向における外側部分２５についてはその接着面２１ａが挟み込みシート２０の取付端部２８の内側シート面２０ａに貼り付けられ、内側部分２６についてはその接着面２１ａが巻芯１１の外周面１１ａに貼り付けられている。
【００３８】
第２接着テープ２２は、挟み込みシート２０の取付端部２８を挟んだ反対側に設けられている。第２接着テープ２２は、その接着面２２ａが当該取付端部２８における外側シート面２０ｂと巻芯１１の外周面１１ａとに跨がって貼り付けられている。この場合、第２接着テープ２２において第１接着テープ２１よりも折り返し部２３の折り返し側とは反対側に延出した部分は延出部２９となっており、その延出部２９の接着面２２ａが巻芯１１の外周面１１ａに対して貼り付けられている。
【００３９】
第２接着テープ２２は、巻芯１１の幅方向の長さが第１接着テープ２１よりも長くなっており、巻芯１１の幅方向において第１接着テープ２１全域と重複するように配置されている。この場合、換言すると、第１接着テープ２１が巻芯１１の幅方向において第２接着テープ２２の端部からはみ出ないように配置されているともいえる。これにより、第２接着テープ２２の延出部２９によって、第１接着テープ２１の折り返し部２３外側の接着面２１ａ全域が外側から覆われた状態となっている。
【００４０】
なお、本ロール体１０では、挟み込みシート２０と各接着テープ２１，２２とによって挟み込み部材が構成されている。
【００４１】
続いて、挟み込みシート２０によりロール紙１２の始端部１２ａを巻芯１１の外周面１１ａとの間で挟み込んだ状態について図４及び図５に基づいて説明する。図４はロール紙１２の始端部１２ａが挟み込みシートにより巻芯１１の外周面１１ａとの間で挟み込まれた状態を示す斜視図であり、図５は同状態を拡大して示す側面図である。なお、図５では便宜上、ロール紙１２について２周目部分の途中以降の図示を省略している。また、図５では、ロール紙１２にハッチングを付して示している。
【００４２】
図４及び図５に示すように、挟み込みシート２０と巻芯１１との外周面１１ａとの間には、ロール紙１２の始端部１２ａが挟み込まれた状態で設けられている。この挟み込み状態において、当該始端部１２ａは第１接着テープ２１の折り返し部２３の内側に入り込んでいる。具体的には、ロール紙１２（始端部１２ａ）においてその始端から所定長さ部分が第１接着テープ２１の外側部分２５と内側部分２６との間に入り込んだ状態となっている。なお、上記所定長さ部分の長さは５ｍｍ〜１０ｍｍであることが望ましい。
【００４３】
挟み込みシート２０の外側シート面２０ｂには、ロール紙１２の２周目部分１２ｂが配置されている（巻かれている）。このロール紙１２の２周目部分１２ｂ（ひいては２周目以降の部分）によって、挟み込みシート２０は巻芯１１の外周面１１ａ側に向けて押さえ付けられており、その結果挟み込みシート２０によるロール紙１２の始端部１２ａの挟み込み状態が保持されている。
【００４４】
次に、巻芯１１にロール紙１２を巻き付けてロール体１０を製造する際の作業手順について説明する。
【００４５】
ロール紙１２を巻芯１１に巻き付ける際にはまず、ロール紙１２の始端部１２ａを巻芯１１の外周面１１ａと挟み込みシート２０との間に差し入れてそれら両者１１，２０により当該始端部１２ａを挟み込む。このとき、ロール紙１２の始端部１２ａ（詳しくは始端から所定長さ部分）を第１接着テープ２１の折り返し部２３内側（詳しくは外側部分２５と内側部分２６との間）に入り込ませた状態で当該始端部１２ａを挟み込む。
【００４６】
次に、挟み込みシート２０を手で押さえ付ける等して同シート２０によるロール紙始端部１２ａの挟み込み状態を維持しながら、ロール紙１２を巻芯１１の外周に１周以上巻き付ける。より具体的には、ロール紙１２が挟み込みシート２０の外側シート面２０ｂ上に配置される（巻かれる）までロール紙１２を巻き付ける。これにより、外側シート面２０ｂ上のロール紙１２（詳細にはロール紙１２の２周目部分１２ｂ）により挟み込みシート２０が巻芯１１の外周面１１ａ側に押し付けられ、その結果挟み込みシート２０と巻芯１１の外周面１１ａとの間で始端部１２ａが挟み込まれた状態となる。
【００４７】
ロール紙１２の始端部１２ａが挟み込みシート２０により挟み込まれた後は、挟み込みシート２０（又はロール紙１２）を手で押さえ付けなくても、始端部１２ａを巻芯１１の外周面１１ａに対し滑らせることなくロール紙１２巻き付けていくことが可能となる。したがって、この場合ロール紙１２を巻芯１１にスムーズに巻き付けていくことができる。このように、巻芯１１にロール紙１２を最後まで巻き付けることによりロール体１０が完成する。
【００４８】
なお、巻芯１１に対するロール紙１２の巻き付けは、例えば専用の巻き付け機器を用いて行う。この場合、巻き付け機器の回転体に巻芯１１を挿入し回転体を回転させることで巻芯１１を回転させロール紙１２の巻き付けを行う。また、ロール紙１２の巻き付けを手作業で行ってもよい。
【００４９】
続いて、ロール体１０の作用について説明する。ここでは、有料駐車場の発券機にセットされたロール体１０を用いて駐車券が発券される場合の作用について説明する。
【００５０】
ロール体１０は、発券機内部に設けられた供給リールに巻芯１１が挿入された状態でセットされる。発券機の発券ボタンが操作されるとロール紙１２が送り出し機構によって巻芯１１から引き出され、駐車券の長さに切断される。それから、その切断された券の基材１３表面に入庫時刻等の入庫情報が印字され、磁気記録層１４に入庫情報が記録される。その後、発券機より駐車券として発券される。
【００５１】
このようにロール紙１２は巻芯１１から順次引き出され駐車券として発券される。そしてロール紙１２が始端側まで引き出されて挟み込みシート２０が露出すると、同シート２０によるロール紙始端部１２ａの挟み込み状態が解除されて、当該始端部１２ａが巻芯１１の外周面１１ａから離脱する。この場合、ロール紙１２の始端部１２ａを巻芯１１の外周面１１ａに接着する場合のようにロール紙１２のなくなる間際でロール紙１２を上手く引き出せなくなるといった不都合が生じることがないし、ロール紙１２を最後まで引き出すことができるためロール紙１２の有効利用を図ることができる。
【００５２】
以上、詳述した本実施形態の構成によれば、以下の優れた効果が得られる。
【００５３】
ロール紙１２の始端部１２ａを巻芯１１の外周面１１ａとの間で挟み込む挟み込みシート２０を設け、その挟み込みシート２０を巻芯１１の外周面１１ａに取り付ける第１接着テープ２１に、始端部１２ａを内側に入り込ませた状態で折り返された折り返し部２３を形成した。そして、その折り返し部２３の折り返しによって第１接着テープ２１の一部（内側部分２６）を上記始端部１２ａと巻芯１１の外周面１１ａとの間に介在させ、その内側部分２６を巻芯１１の外周面１１ａに接着面２１ａを介して貼り付けた。これにより、ロール紙１２が周囲の湿気を吸って膨張した場合でも、ロール紙１２の始端部１２ａが挟み込みシート２０と巻芯１１の外周面１１ａとの接着部分に入り込んでしまうのを防止することができるため、かかる入り込みに伴いロール紙１２を最後まで引き出せなくなるといった不都合が生じるのを回避することができる。
【００５４】
また、ロール紙１２として磁気記録層１４付きのものを用いたため、ロール紙１２の始端部１２ａの上記接着部分への入り込みを防止することで、磁気記録層１４に接着部分の接着剤が付着して記録の読み取りミス等の不具合が生じるのを回避することができる。
【００５５】
ロール紙１２の始端部１２ａを挟み込む挟み込み部を挟み込みシート２０により形成し、ロール紙１２の始端部１２ａを内側に入り込ませて折り返された折り返し部２３を第１接着テープ２１により形成した。これにより、材料として求められる性質（特性）が相違する各部（すなわち挟み込み部及び折り返し部２３）を別の材料で形成することができる。
【００５６】
具体的には、挟み込みシート２０を紙（詳細にはクラフト紙）により形成した。紙はシート表面の粗さが比較的大きいため、ロール紙１２の始端部１２ａを位置ずれしないように挟み込むことに適している。また、第１接着テープ２１を樹脂フィルムを基材としたものにより形成した。樹脂フィルムは比較的強度を有しているため、ロール紙１２の吸湿に伴う膨張によりロール紙１２の始端部１２ａが折り返し部２３内側に食い込んだ場合でもその食い込みによって折り返し部２３に破断が生じるのを防止するのに適している。
【００５７】
挟み込みシート２０の取付端部２８に第１接着テープ２１を設けるとともに、取付端部２８を挟んだ反対側にさらに第２接着テープ２２を設け、それら各接着テープ２１，２２により挟み込みシート２０を巻芯１１の外周面１１ａに取り付けた。この場合、挟み込みシート２０を比較的強固に巻芯１１に取り付けることができるため、ロール紙１２の始端部１２ａを挟み込みシート２０により挟み込んだ状態でロール紙１２の巻き付けを行う際、同シート２０が巻芯１１から離脱する等の不都合が生じるのを抑制することができる。
【００５８】
第２接着テープ２２の接着面２２ａを、挟み込みシート２０の外側シート面２０ｂと巻芯１１の外周面１１ａとに跨がって貼り付けた。換言すると、第２接着テープ２２にロール紙１２の巻回方向において第１接着テープ２１よりも折り返し部２３の折り返し側とは反対側に延出した延出部２９を設け、その延出部２９を巻芯１１の外周面１１ａに貼り付けた。これにより、その延出部２９によって、第１接着テープ２１の折り返し部２３外側の接着面２１ａを覆うことができるため、当該接着面２１ａがその外側に配置されるロール紙１２（詳細には２周目部分１２ｂ）に貼り付いてしまうのを防止することができる。
【００５９】
特に、ロール紙１２が磁気記録層１４を巻芯１１の外周面１１ａ側に向けて巻回されている構成では、磁気記録層１４に第１接着テープ２１の接着面２１ａが貼り付くのを防止することができるため、磁気記録層１４に接着面２１ａの接着剤が付着して記録の読み取りミス等の不具合が生じるのを回避することができる。
【００６０】
具体的には、第２接着テープ２２について巻芯１１の幅方向の長さを第１接着テープ２１よりも長くするとともに、第１接着テープ２１を巻芯１１の幅方向において第２接着テープ２２の端部からはみ出ないように配置したため、第２接着テープ２２の延出部２９によって、第１接着テープ２１の折り返し部２３外側の接着面２１ａ全域を覆うことができる。これにより、ロール紙１２が当該接着面２１ａに貼り付く不都合をより確実に防止することができる。
【００６１】
また、第１接着テープ２１は巻芯１１の外周面１１ａと挟み込みシート２０との間に配置されることから、その貼付作業がしづらいと考えられる。この点、第１接着テープ２１の巻芯１１の幅方向の長さを第２接着テープよりも短くしたことで、その貼付作業をし易くすることができる。
【００６２】
挟み込みシート２０の各シート面のうち、表面粗さの大きい側（換言すると凹凸度の大きい側）のシート面（具体的には内側シート面２０ａ）をロール紙１２の始端部１２ａの外側面に重ねた状態で挟み込みシート２０を配置した。これにより、始端部１２ａが巻芯１１の外周面１１aに対し滑ってしまうのを抑制する効果が高められ、安定した挟み込み状態を実現することができる。
【００６３】
有料駐車場に設置される発券機、すなわち屋外に設置される屋外機器においてロール体１０を用いた。屋外機器で用いられるロール体１０では、雨天の際等にロール紙１２が湿気を多く吸収して大きく膨張してしまうおそれがある。この点を鑑みると、屋外機器にロール体１０を用いるようにしたことの意義は大きいといえる。
【００６４】
〔第２の実施形態〕
上記第１の実施形態では、第１接着テープ２１により折り返し部２３を形成したが、本実施形態では挟み込みシートにより折り返し部を形成する構成としている。以下、かかる本実施形態の構成を第１の実施形態との相違点を中心に図６及び図７を用いて説明する。なお、第１の実施形態と同様の構成については同一の符号を付してその説明を省略する。
【００６５】
図６及び図７に示すように、本実施形態のロール体３０では、挟み込みシート３１が巻芯１１の外周面１１ａに接着剤により貼り付けられている。挟み込みシート３１は、巻芯１１の外周面１１ａに対向して設けられており、巻芯１１の外周方向における一端部において同方向における他端側に向けて折り返された折り返し部３２を有している。具体的には、挟み込みシート３１は、巻芯１１の外周面１１ａに対向配置された挟み込み部３５と、折り返し部３２によって挟み込み部３５に対し巻芯１１の外周面１１ａ側に折り返されかつ同外周面１１ａに接着剤で貼り付けられた貼付部３６とを有している。なお、図６（ｂ）では、挟み込みシート３１（詳しくは折り返し部３２）を、その折り返しを展開した状態で示している。
【００６６】
挟み込みシート３１の挟み込み部３５と巻芯１１の外周面１１ａとの間には、ロール紙１２の始端部１２ａが挟み込まれた状態で設けられている。この挟み込み状態において、ロール紙１２の始端部１２ａは折り返し部３２の内側に入り込んでいる。より詳しくは、ロール紙１２（始端部１２ａ）において始端から所定長さ部分が折り返し部３２の内側、換言すると挟み込み部３５と貼付部３６との間に入り込んでいる。
【００６７】
以上、詳述した本実施形態の構成によれば、以下の優れた効果が得られる。
【００６８】
挟み込みシート３１に、ロール紙１２の始端部１２ａを内側に入り込ませた状態でロール紙１２の巻回方向に折り返した折り返し部３２を形成し、その折り返し部３２の折り返しにより挟み込みシート３１の一部（貼付部３６）を上記始端部１２ａと巻芯１１の外周面１１ａとの間に介在させた。これにより、ロール紙１２の吸湿に伴う膨張が生じてしも、ロール紙１２の始端部１２ａが挟み込みシート３１と巻芯１１の外周面１１ａとの接着部分に入り込んでしまうのを防止することができる。
【００６９】
また、挟み込みシート３１自体に折り返し部３２を形成したことで、比較的簡素な構成で上記の効果を得ることができる。
【００７０】
〔他の実施形態〕
（１）上記第１の実施形態では、挟み込みシート２０を２つの接着テープ２１，２２を用いて巻芯１１の外周面１１ａに取り付けたが、第２接着テープ２２を不具備として第１接着テープ２１のみによって挟み込みシート２０を取り付けてもよい。この場合でも、第１接着テープ２１の折り返し部２３によりロール紙１２の始端部１２ａが挟み込みシート２０と巻芯１１の外周面１１ａとの貼付部分に入り込むのを防止することができる。
【００７１】
（２）第１接着テープ２１のみにより挟み込みシート２０を巻芯１１の外周面１１ａに取り付ける上記（１）の構成を採用する場合、例えば第１接着テープ２１をロール紙１２の巻回方向において挟み込みシート２０の中間部に貼り付け、これによって挟み込みシート２０の一部を第１接着テープ２１よりも折り返し部２３の折り返し側とは反対側に延出させてもよい。この場合、その延出した延出部によって、第１接着テープ２１の折り返し部２３外側の接着面２１ａを外側から覆うことができるため、第２接着テープ２２を有しない構成にあっても、当該接着面２１ａがその外側のロール紙１２に貼り付いてしまうのを防止することができる。
【００７２】
（３）上記第１の実施形態では、第１接着テープ２１について巻芯１１の幅方向の長さを第２接着テープ２２よりも短くしたが、これを変更してもよい。例えば、第１接着テープ２１と第２接着テープ２２とで、巻芯１１の幅方向の長さを同じとし、各接着テープ２１，２２を巻芯１１の幅方向に同位置に配置するようにしてもよい。この場合、第２接着テープ２２の延出部２９によって第１接着テープ２１の接着面２１ａの露出を防止することができるとともに、第１接着テープ２１により第２接着テープ２２の接着面２２ａが折り返し部２３内側に露出するのを防止することができるため、第２接着テープ２２の接着面２２ａがロール紙１２の始端部１２ａに貼り付いてしまうのを防止することもできる。
【００７３】
なお、第１接着テープ２１について巻芯１１の幅方向の長さを第２接着テープ２２より長くしてもよい。
【００７４】
（４）上記各実施形態では、挟み込み部材においてロール紙１２の始端部１２ａと巻芯１１の外周面１１ａとの間に介在された部分（具体的には、内側部分２６，貼付部３６）を当該外周面１１ａに貼り付けた（取り付けた）が、挟み込み部材において巻芯１１の外周面１１ａに取り付ける部位は必ずしもかかる部位に限定されない。例えば、上記第２の実施形態において、挟み込みシート３１の貼付部３６を巻芯１１の外周面１１ａに貼り付ける（取り付ける）ことに代えて又は加えて、挟み込み部３５を巻芯１１の外周面１１ａに取り付けるようにしてもよい。具体的には、挟み込み部３５の外側面と巻芯１１の外周面１１ａとに跨がって接着テープを貼り付けることが考えられる。
【００７５】
（５）上記各実施形態では、挟み込み部材（挟み込みシート２０，３１、接着テープ２１，２２）を全体としてシート状に形成したが、シート状以外の形状により形成してもよい。例えば上記第１の実施形態において、折り返し部２３を形成する部材を、第１接着テープ２１に代えて、樹脂材料等により断面コ字状に形成されたコ字状部材とすることが考えられる。この場合、コ字状部材は、挟み込みシート２０と巻芯１１の外周面１１ａとの間においてその溝部を巻芯１１の外周方向の一方側に開口させた状態で配設され、挟み込みシート２０と巻芯１１の外周面１１ａとにそれぞれ貼り付けられる。そして、ロール紙１２の始端部１２ａが、そのコ字状部材の溝部に入り込んだ状態で設けられる。この場合においても、ロール紙１２が吸湿して膨張した場合に、始端部１２ａが挟み込み部材と巻芯１１の外周面１１ａとの貼付部分に入り込むのを防止することができる。
【００７６】
（６）巻芯１１は必ずしも円筒状である必要はなく、四角筒状等他の筒形状であってもよい。また、筒状に限らず円柱状や棒状等他の形状であってもよい。要するにロール紙１２が巻回可能なものであればその形状は任意である。
【００７７】
（７）上記各実施形態では、有料駐車場の発券機で用いられるロール体１０について説明したが、店舗内のレジやプリンタ等その他の機器で用いられるロール体に本発明を適用してもよい。例えばレジで使用されるロール体では、ロール紙として感熱紙からなるもの（より詳しくは磁気記録層１４を含まないで感熱紙のみからなるもの）が用いられるが、かかるロール紙に対して本発明を適用してもよい。
【符号の説明】
【００７８】
１０…ロール体、１１…巻芯、１２…ロール紙、１２ａ…始端部、１３…基材、１４…磁気記録層、２０…挟み込みシート、２１…接着テープとしての第１接着テープ、２１ａ…接着面、２２…第２接着テープ、２２ａ…接着面、２３…折り返し部、２５…外側部分、２６…内側部分、２９…延出部、３０…ロール体、３１…挟み込み部材としての挟み込みシート、３２…折り返し部。
【図１】
2014080260.tif 000003
【図２】
2014080260.tif 000004
【図３】
2014080260.tif 000005
【図４】
2014080260.tif 000006
【図５】
2014080260.tif 000007
【図６】
2014080260.tif 000008
【図７】
2014080260.tif 000009